(57)【要約】【課題】  本発明は、コストを削減しつつインバータ駆動回路を保護できる電子機器を提供することを目的とする。【解決手段】  裏ケース５に表ケース６を取り付けた際、支持突起１１ｅは実装されたインバータ駆動回路２０の高さよりも高く形成されており、表ケース６の内面に当接されている。さらに位置決め突起１２も支持突起１１ａ乃至１１ｆと同様にインバータ駆動回路２０よりも高く形成されており、表ケース６の内面に当接している。インバータ駆動回路２０と裏ケース５との間には外部からの衝撃を吸収する緩衝材２１が配置される。緩衝材２１はゴム、シリコン、ウレタン等の弾力性の有る材料によりシート状に形成されており、図示しない両面テープ等を介して裏ケース５に貼り付けられている。【選択図】  図６
2006155405.tif 000002
【特許請求の範囲】
【請求項１】
開口部を有する表ケースと裏ケースとを有する表示部筐体と、
上記表示部筐体内に設けられ、上記開口部より露出される表示装置と、
上記裏ケース内面より突出して設けられるとともに上記表ケース内面に当接するように設けられる複数の突起と、
上記載置部に設けられるとともに上記表示装置へ電力供給するインバータ回路と、
を具備することを特徴とする電子機器。
【請求項２】
上記インバータ回路と上記裏ケースとの間に緩衝材が設けられることを特徴とする請求項１記載の電子機器。
【請求項３】
上記インバータ回路の周囲に上記複数の突起が位置することを特徴とする請求項１記載の電子機器。
【請求項４】
上記インバータ回路と上記表ケースとの間に緩衝材が設けられることを特徴とする請求項２記載の電子機器。
【請求項５】
上記裏ケース内面から突出し、上記表ケース内面に当接する位置決め突起を具備し、上記インバータ回路は上記位置決め突起が挿入される穴部を有していることを特徴とする請求項１記載の電子機器。
【発明の詳細な説明】
【技術分野】
【０００１】
本発明は、電子機器に係り、特に表示部筐体内に内蔵されるインバータ回路の保護構造に関する。
【背景技術】
【０００２】
近年、ノートパソコン等の電子機器は薄型化、小型化が進み携帯性が向上している。その反面携帯時に誤って落下させたりすることも多々ある。このような場合、筐体が破損したり、本体筐体内に内蔵されている基板や各種デバイス等が破損する場合がある。特に表示部筐体内に内蔵されている表示装置(以下ＬＣＤ)に電力供給するインバータ駆動回路基板に実装されているセラミック製のトランス等の破損が懸念される。
【０００３】
従来、このような問題を解決する手法として、表示装置内の空間にシリコン系あるいはウレタン系の流動性クッション材を充填する技術がある。（特許文献１参照）。
【特許文献１】特開平５−８０３０６号公報（段落番号００１８、第１図）
【発明の開示】
【発明が解決しようとする課題】
【０００４】
しかし、特許文献１に開示されている技術は、表示部筐体内に各種部品を実装した後に流動性のクッション材を充填し降下させる必要が有り、製造性、コスト的に問題がある
そこで、本発明はコストを削減しつつインバータ駆動回路を保護できる電子機器の提供を目的とする。      
【課題を解決するための手段】
【０００５】
上記目的を達成するために、請求項１に係る電子機器では、開口部を有する表ケースと裏ケースとを有する表示部筐体と、表示部筐体内に設けられ、開口部より露出される表示装置と、裏ケース内面より突出して設けられるとともに表ケース内面に当接するように設けられる複数の突起と、載置部に設けられるとともに表示装置へ電力供給するインバータ回路と、を具備することを特徴とする。
【発明の効果】
【０００６】
本発明によれば、コストを削減しつつインバータ駆動回路を保護できる電子機器を提供することができる。
【発明を実施するための最良の形態】
【０００７】
以下本発明に係る実施の形態を、図面を参照して説明する。
【０００８】
図１は、電子機器の斜視図である。ノートパソコン（以下、電子機器）１は本体２と図示しないヒンジ装置を介して表示部４を有している。本体２条麺にはキーボード装置３が設けられる。表示部４は裏ケース５と開口部を有した表ケース６を有している。表示部４内部には表示装置(以下ＬＣＤ)７が内蔵され手織り、表ケース６の開口部を介して露出されている。表ケース６は樹脂により形成され、裏ケース５はマグネシウム等の金属にて形成されている。
【０００９】
図２は、裏ケースの斜視図である。裏ケース５にはＬＣＤ７が実装される領域５ａを有しており、その領域５ａの下方には後述するインバータ駆動回路が実装される領域（載置部）１０が設けられる。
【００１０】
図３は、載置部の拡大図である。インバータ駆動回路が実装される載置部１０の領域を示す境界には裏ケース５と一体形成された複数の支持突起１１ａ、１１ｂ，１１ｃ，１１ｄ，１１ｅ，１１ｆが間隙を介して裏ケース５の内面に配置されている。また載置部１０のほぼ中央には裏ケース５と一体形成された位置決め突起１２が設けられている。
【００１１】
図４は、載置部にインバータ駆動回路を載置した状態の斜視図である。インバータ駆動回路２０はＬＣＤ７へ電力供給する。インバータ駆動回路２０は載置部１０に載置する差異位置決め突起が挿入される位置決め穴(穴部)２０ａを有している。突起１１ａ乃至１１ｆは、インバータ駆動回路２０が載置部１０に載置された際、インバータ駆動回路２０の周囲に位置しており、インバータ駆動回路２０を取り囲むように配置されている。
【００１２】
図５は、表示部筐体の平面図である。図６は、図５における断面線Ａ−Ａにおける断面図である。図７は、図６における断面線Ｂ−Ｂにおける断面図である。
【００１３】
図６、図７に示すように、支持突起１１ｅはＬＣＤ７の実装領域５ａとインバータ駆動回路２０の実装領域（載置部１０）とを仕切る仕切り壁としても機能する。
【００１４】
裏ケース５に表ケース６を取り付けた際、支持突起１１ｅは実装されたインバータ駆動回路２０の高さよりも高く形成されており、表ケース６の内面に当接されている。勿論他の支持突起１１ａ乃至１１ｆも同様にインバータ駆動回路２０よりも高く形成されており、表ケース６の内面に当接している。さらに位置決め突起１２も支持突起１１ａ乃至１１ｆと同様にインバータ駆動回路２０よりも高く形成されており、表ケース６の内面に当接している。
【００１５】
インバータ駆動回路２０と裏ケース５との間には外部からの衝撃を吸収する緩衝材２１が配置される。緩衝材２１はゴム、シリコン、ウレタン等の弾力性の有る材料によりシート状に形成されており、図示しない両面テープ等を介して裏ケース５に貼り付けられている。図示しないが、表ケース６の内面とインバータ駆動回路２０との間にも同様に緩衝材を設けても良い。この場合表ケース６の内面に緩衝材を両面テープで貼り付ければよい。
【００１６】
上記のような支持突起を表ケース６と裏ケース５との間に指示突起を設け、支持突起の先端を表ケース５の内面に当接しているため、表示部ケースの表裏からの衝撃が対してインバータ駆動回路２０に直接及ぶことを防止することが可能となり、インバータ駆動回路の破損を防止することができる。さらに、位置決め突起も表ケース内面に当接することで、表示部筐体の載置部中央に対応する位置への衝撃も位置決め突起によりインバータ駆動回路への直接の影響を防止することが出来る。なお、本実施の形態においては裏ケース内面より支持突起および位置決め突起を突出させているが、表ケース内面から一体的に突出させるようにしても良い。
【００１７】
さらに、アルミ製の板金を折り曲げ、位置決め突起、支持突起を形成し、別部品としてケース内面に両面テープ等で貼り付けて載置部および各種突起を形成しても良い。この場合、射出成型等により突起先端への樹脂あるいはマグネシウムが十分に行き渡らないという不具合を解消することが出来、かつ安価にインバータ駆動回路を保護することも可能で有る。
【００１８】
本発明ではその主旨を逸脱しない範囲であれば、上記の実施形態に限定されるものではない。そして、…装置、…装置、…装置及び…装置に広く適用できるものである。
【図面の簡単な説明】
【００１９】
【図１】電子機器の斜視図。
【図２】裏ケースの斜視図。
【図３】載置部の拡大図。
【図４】載置部にインバータ駆動回路を載置した状態の斜視図。
【図５】表示部筐体の平面図。
【図６】図５における断面線Ａ−Ａにおける断面図。
【図７】図６における断面線Ｂ−Ｂにおける断面図。
【符号の説明】
【００２０】
１…ノートパソコン、２…本体、３…キーボード、４…表示部、５…裏ケース、５ａ…実装領域、６…表ケース、７…ＬＣＤ、１０…載置部、１１ａ、１１ｂ，１１ｃ，１１ｄ，１１ｅ，１１ｆ…支持突起、１２…位置決め突起、２０…インバータ駆動回路、２０ａ…穴部、２１…緩衝材
【図１】
2006155405.tif 000003
【図２】
2006155405.tif 000004
【図３】
2006155405.tif 000005
【図４】
2006155405.tif 000006
【図５】
2006155405.tif 000007
【図６】
2006155405.tif 000008
【図７】
2006155405.tif 000009